(57)【要約】      （修正有）【課題】ケーキとは別に運ぶことが出来、いちご等の果実をフレッシュに保つと共に、果実やケーキのデコレーションの型くずれを防ぐことが出来る収納小箱を提供する。【解決手段】外箱Ｂと外箱に収納する中ケースＣとから成り、外箱Ｂは少なくとも一端が開口した角筒形状であり、外箱の長手方向の一側板に接着部２ａを設け、中ケースＣは、内側にいちごＤを入れて外箱の一方の開口から外箱内に脱着自在に挿入されており、接着部２ａをケーキ本体を入れるキャリーデコケースＥの一側板に当接させて取付け自在な構成とした。【選択図】図１
0003195683.tif 000002
【実用新案登録請求の範囲】
【請求項１】
外箱と当該外箱に収納する中箱とから成り、
上記外箱は少なくとも一端が開口した角筒形状であり、
当該外箱の長手方向の一側板に接着部を設け、
上記中箱は、内側に収納物を入れて上記外箱の一方の開口から上記外箱内に脱着自在に挿入されており、
当該外箱の一側板の接着部を被取付箱体の一側板に当接させて取付け自在な構成としたことを特徴とする、収納小箱。
【請求項２】
上記外箱を紙製とし、
当該外箱の開口する端縁の角部であって、当該外箱上を若干内側に入った箇所に上記開口端縁と略平行な一定長の切り込みを設け、当該各切り込みの両端の箇所から上記各開口端縁に向けて夫々折り目を設け、当該各折り目を介して当該各切り込みと上記開口縁で挟まれた各角部を内側へ折り込み自在に設け、
上記中箱を当該外箱内に挿入した後、上記二箇所の角部を内側へ折り込んで上記中箱の動きを規制するストッパーとなる構成としたことを特徴とする、上記請求項１に記載の収納小箱。
【請求項３】
上記外箱の一方の開口端縁の左右側の一方の側縁に折り目を介して舌片を設け、
上記収納小箱を、紙製の被取付箱体の一側に取り付ける際、上記舌片を上記折り目を介して外側へ略直角に折り曲げ、上記被取付箱体の開閉自在な側面開口を板体で閉じた際に出来る縦長の隙間に差し入れる構成としたことを特徴とする、上記請求項２に記載の収納小箱。
【請求項４】
上記外箱の、少なくとも天板又は他側板に窓を設け、
上記中箱は、透明又は半透明な材質から設けた構成とし、
上記外箱の窓から中箱内の収納物が見えるようにしたことを特徴とする、上記請求項１、２又は３の何れかに記載の収納小箱。
【請求項５】
上記中箱を紫外線を防ぐ材質から設けたことを特徴とする、上記請求項１、２、３又は４の何れかに記載の収納小箱。
【請求項６】
上記中箱を、外気を遮断する蓋を有する構成としたことを特徴とする、上記請求項１、２、３、４又は５の何れかに記載の収納小箱。
【請求項７】
上記請求項１、２、３、４、５又は６の何れかに記載の収納小箱を取り付けたことを特徴とする、箱体
【考案の詳細な説明】
【技術分野】
【０００１】
この考案は、洋菓子店等において、ケーキなどを入れて持ち運びに使用する紙箱に対して、内部にいちご等を入れ、上記ケーキ本体を入れた紙箱の側面に取付ける収納小箱及び当該収納小箱を取り付けた箱体に関するものである。
【背景技術】
【０００２】
従来、洋菓子店において、様々な種類のケーキが販売されている。中でも、デコレーションケーキは、果物やクリームを載せたりして各種のものがある。
【０００３】
この様なデコレーションケーキを販売する際、上部に把手部を設け、持ち運びに便利な紙箱を使用している。
【０００４】
この様な紙箱として、やや扁平な直方体を設け、天板の中央に略環状の切り込みを二重に入れて、これらの切り込みを介して半環状片を起こして把手部を形成したものがある。この紙箱は一方の相対向する側板が開閉自在で、この側板の一つからケーキを出し入れするようになっている。
【先行技術文献】
【特許文献】
【０００５】
【特許文献１】実用新案登録第３０５８６８１号
【考案の開示】
【考案が解決しようとする課題】
【０００６】
しかしながら、この特許文献１の紙箱では、中に入れて運ばれるケーキとして当該ケーキの表面にいちご等を盛り付け、完成された状態のケーキを運ぶことを想定したものとなっている。このことは従来では通常見られることであるが、この様に、いちご等がケーキ本体に盛り付けられた状態では紙箱の側板や天板等に当たり易く、これらに当たるなどすると、いちご等は傷み易く、また、形状がくずれてせっかくのデコレーションケーキが台無しになってしまうことがある。
【０００７】
それ故、出来るならば、上記事態の招来を防ぐため、また、いちご等の新鮮な状態を保つために、食べる直前にケーキの表面にいちご等を盛り付けるようにし、予めいちご等をケーキの表面に盛り付けずにケーキと分けて運ばれることが望ましいが、上記特許文献１のものではそう言った技術思想は無い。
【０００８】
この考案は、この様な状況に鑑みて行われたもので、ケーキ本体を入れる箱体とは別にいちご等を入れる小箱を作成し、この小箱を上記箱体の一側面に取り付けるようにした、いちご等の果実、又はその他のものを入れる収納小箱及び当該収納小箱を取り付けた箱体を提供して上記課題を解決するものである。
【課題を解決するための手段】
【０００９】
請求項１の考案は、外箱と当該外箱に収納する中箱とから成り、上記外箱は少なくとも一端が開口した角筒形状であり、当該外箱の長手方向の一側板に接着部を設け、上記中箱は、内側に収納物を入れて上記外箱の一方の開口から上記外箱内に脱着自在に挿入されており、当該外箱の一側板の接着部を被取付箱体の一側板に当接させて取付け自在な構成とした収納小箱とした。
とした。
【００１０】
請求項２の考案は、上記外箱を紙製とし、当該外箱の開口する端縁の角部であって、当該外箱上を若干内側に入った箇所に上記開口端縁と略平行な一定長の切り込みを設け、当該各切り込みの両端の箇所から上記各開口端縁に向けて夫々折り目を設け、当該各折り目を介して当該各切り込みと上記開口縁で挟まれた各角部を内側へ折り込み自在に設け、上記中箱を当該外箱内に挿入した後、上記二箇所の角部を内側へ折り込んで上記中箱の動きを規制するストッパーとなる構成とした上記請求項１に記載の収納小箱とした。
【００１１】
請求項３の考案は、上記外箱の一方の開口端縁の左右側の一方の側縁に折り目を介して舌片を設け、上記収納小箱を、紙製の被取付箱体の一側に取り付ける際、上記舌片を上記折り目を介して外側へ略直角に折り曲げ、上記被取付箱体の開閉自在な側面開口を板体で閉じた際に出来る縦長の隙間に差し入れる構成とした上記請求項２に記載の収納小箱とした。
【００１２】
請求項４の考案は、上記外箱の、少なくとも天板又は他側板に窓を設け、上記中箱は、透明又は半透明な材質から設けた構成とし、上記外箱の窓から中箱内の収納物が見えるようにした上記請求項１、２又は３の何れかに記載の収納小箱とした。
【００１３】
請求項５の考案は、上記中箱を紫外線を防ぐ材質から設けた上記請求項１、２、３又は４の何れかに記載の収納小箱とした。
【００１４】
請求項６の考案は、上記中箱を、外気を遮断する蓋を有する構成とした上記請求項１、２、３、４又は５の何れかに記載の収納小箱とした。
【００１５】
請求項７の発明は、上記請求項１、２、３、４、５又は６の何れかに記載の収納小箱を取り付けた箱体とした。
【考案の効果】
【００１６】
請求項１又は７の各考案によれば、例えば、収納物がいちご等の果実の場合、ケーキ本体とは別に運ぶことが出来、いちご等をフレッシュに保つことができると共に、いちご等やケーキのデコレーションの型くずれを防ぐことが出来る。また、いちご等に代えて、キャンドルやナプキンなどを入れることも出来、被取付箱体がケーキ等を入れた箱体の場合、上記キャンドル等がケーキ等に接触する恐れが全くないので安心して運ぶことが出来る。
【００１７】
請求項２の考案によれば、中箱を外箱の中に入れ、この外箱の開口端縁の角部を折り目を介して内側に折り込んでおくと、これらの角部がストッパーとなり、上記中箱が不用意に動くことがなく、外箱から出ることがなく、安心して持ち運ぶことが出来る。
【００１８】
請求項３の考案によれば、外箱の舌片を折り目によって外側に略直角に折り曲げ、被取付箱体に設けられた側面開口を板体で閉じた際に出来る縦長の隙間に差し入れ、その後、収納小箱を取り付けるようにすると、上記舌片によって位置決めが出来、当該収納小箱を容易に取り付けることができる。また、この収納小箱が上記被取付箱体に対して不用意に動き難く、この被取付箱体に対する取り付けの補強となる。
【００１９】
請求項４の考案によれば、収納小箱の外箱には、窓を設け、さらに、中箱を透明又は半透明な材質から設けたので、中箱の中に入れているものが外から一目で分かり極めて便利である。
【００２０】
請求項５の考案によれば、中箱を紫外線を防ぐ材質のものから形成した場合、中の収納物が果実等だと、比較的長い時間新鮮に保つことが出来る。
【００２１】
請求項６の考案によれば、中箱を、外気を遮断する蓋を有する構成としたので、中の収納物が傷み易い果実等の場合、比較的長い時間新鮮に保つことが出来る。
【図面の簡単な説明】
【００２２】
【図１】この考案の実施の形態例の収納小箱をキャリーデコケースの一側面に取り付けている状態の一部斜視図である。
【図２】この考案の実施の形態例の収納小箱の展開図である。
【図３】この考案の実施の形態例の収納小箱の外箱であって、組み立てられたものの斜視図である。
【図４】この考案の実施の形態例の収納小箱の中ケースの斜視図である。
【図５】この考案の実施の形態例の収納小箱の中ケースの中にいちごを入れた状態の斜視図である。
【考案を実施するための形態】
【００２３】
（実施の形態例）
以下、この考案の実施の形態例の収納小箱を図に基づいて説明する。この実施の形態例の収納小箱Ａは、図１に示すように、角筒形状で紙製の外箱Ｂと直方体形状の透明又は半透明なプラスティックで出来た中箱である中ケースＣから成る。
【００２４】
図２に示す様に、上記外箱Ｂは、長方形状の底板１の右端縁に折り目ａを介して細幅の長方形状の後側板２を設け、この後側板２の表面には両面テープを貼り付けた接着部２ａを設けている。上記後側板２の上端縁に折り目ｂを介して長方形状の舌片３を設ける。
【００２５】
上記底板１の左側縁に折り目ｃを介して、上記後側板２と同形同大の前側板４を設け、この前側板４の略中央には長手方向に略長方形状の窓４ａを設けている。
【００２６】
また、上記前側板４の左端縁には折り目ｄを介して上記底板１と同形同大の天板５を設け、この天板５の略中央には長手方向に略長方形状の窓５ａを設けている。また、必要に応じて、これらの窓４ａ、５ａの裏側に透明なフィルムを貼り付けても良い。
【００２７】
また、この展開図において、上記前側板４と上記天板５を接続する折り目ｄ部分の上下の端縁であって、当該前側板４上及び天板５上の位置で上記端縁から若干内側に入った箇所に、上記上下の端縁と平行な一定長の切り込み６を夫々設けている。さらに、これらの切り込み６の両端の箇所から上記端縁に向けて夫々折り目ｅを設け、これらの各折り目ｅを介してこれらの各切り込み６と上記端縁で挟まれた箇所を内側へ折り込み自在に設けている。
【００２８】
つまり、図１及び図３に示すように、後述するこの外箱Ｂが組み立てられた際、外箱Ｂの両端の各開口端縁の上側の一方の角部を折り込めば、当該角部が凹んで外箱Ｂの内側に突出して、後述する中ケースＣを当該外箱Ｂ内に挿入した際のストッパー６ａとる。
【００２９】
また、上記天板５の左端縁には折り目ｆを介して細長の略台形状ののり代７を設けている。
【００３０】
次に、この収納小箱Ａを組み立てる。最初に、上記底板１を中心に夫々の折り目（ａ〜ｄ、ｆ）を介して後側板２、前側板４、天板５及びのり代７を折り込み、のり代７に接着剤を塗り付けてし、上記後側板２の裏面に当接して接続し、展開状態であった外箱Ｂを角筒形状に形成する。
【００３１】
また、別途設けた上記中ケースＣを用意する。この中ケースＣは、図４及び図５に示すように、蓋８と下ケース９からなり、蓋８の一側８ａは上記下ケース９の一側の上端縁に一体に接続されて蓋８は下ケース９に開閉自在に設けられており、内部にいちごＤが３個入るように仕切られている。この中ケースＣの中に入れるいちごＤの数は適宜最適な個数が入れられるように設ければ良い。また、この中ケースＣは、内部を密閉出来るようになっている。
【００３２】
内側にいちごＤを入れた中ケースＣの蓋８を閉め内側を密閉した状態で、角筒形状に組み立てた外箱Ｂの一方の開口から内側に入れ、略中央の位置で止める。その後、図１に示すように、この外箱Ｂの両端にある上記角部を折り目を介して折り込んでストッパー６ａとし、上記中ケースＣが不用意に上記外箱Ｂから出ないようにする。この状態で収納小箱Ａが形成される。
【００３３】
この状態で、上記舌片３を折り目によって外側に直角に折り曲げ、一例として、図１に示す、内側にデコレーションケーキを入れた大型の紙製のキャリーデコケースＥに設けられた側面開口を板体で閉じた際に出来る縦長の隙間に上記舌片３を差し入れる。その後、上記収納小箱Ａの後側板２の接着部２ａである両面テープの剥離紙を剥がし、キャリーデコケースＥの一側面に当接させ、取り付ける。このようにすると、上記舌片３によって位置決めが出来、当該収納小箱Ａを容易に取り付けることができる。また、この収納小箱が上記被取付箱体に対して不用意に動き難く、このキャリーデコケースＥに対する取り付けの補強となる。
【００３４】
このように、この実施例の収納小箱Ａを使えば、いちごＤ等の果実をケーキ本体とは別に運ぶことが出来、いちごＤ等をフレッシュに保つことができる。また、外箱Ｂの中に中ケースＣを入れた場合、外箱Ｂのストッパー６ａを設けておけば不用意に中ケースＣが移動することは無く、まして、中ケースＣが外箱Ｂから出るということがないので安心である。
【００３５】
また、外箱Ｂの開口の一方の側縁に舌片３を設け、上記収納小箱ＡをキャリーデコケースＥの一側に取り付ける際、上記舌片３を上記折り目ｂを介して外側へ直角に折り曲げ、上記キャリーデコケースＥの開閉自在な開口を板体で閉じた際に出来る縦長の隙間１１に差し入れるようにしたので、この収納小箱Ａの上記キャリーデコケースＥに対して不用意に動き難く、当該キャリーデコケースＥに対する取り付けの補強となり、さらに、安心である。
【００３６】
また、この収納小箱Ａの外箱Ｂには、２箇所の窓４ａ、５ａを設け、さらに、上記中ケースＣを透明又は半透明に設けたので、中ケースＣに入れているものが外部から一目で分かり極めて便利である。さらに、上記中ケースＣを紫外線を防ぐ材質のものから形成した場合、中の収納物が果実当の場合、より新鮮に保つことが出来る。また、中箱として、直方体形状であって、開閉自在な蓋８と下ケース９からなり、内部を密閉出来る中ケースＣを採用し、外気と遮断しているので、中の収納物が果実当の場合、比較的長い時間新鮮に保つことが出来る。
【００３７】
上記実施の形態例では、この収納小箱Ａの中に収納するものとして、いちごＤを使用して説明を行ったが、この収納小箱Ａの中に入れるものはいちごＤに限らず、他の果物やデコレーション用の板チョコでも良いし、もちろん他の食品、さらには、キャンドルやナプキンなどを入れても良い。
【００３８】
上記収納小箱Ａを取り付ける被取付箱体として、内側にデコレーションケーキを入れた大型のキャリーデコケースＥを使用しているが、この収納小箱Ａを取り付けて有効なものであれば、もちろんキャリーデコケースＥに限らず、他のどの様な箱体又は容器でも良い
【００３９】
さらに、上記実施例の形態例では、外箱Ｂの両端を開口させ、ストッパー６ａも両端に設けているが、外箱Ｂの開口は一方のみでも良く、その場合は、ストッパー６ａも一方のみでも良い。また、ストッパー６ａは必ずしも必要と言う訳ではなく、なくても良い。また、外箱Ｂに舌片３を設けてキャリーデコケースＥの隙間１１に差し入れているが、この舌片３はなくても良い。
【００４０】
また、上記外箱Ｂの、少なくとも前側板４及び天板５に窓４ａ、５ａを設け、上記中ケースＣは、外側から内側が見えるように透明又は半透明な材質から設けて当該収納小箱Ａの外側から中ケースＣ内の収納物が見えるようにしているが、これらの構成は必ずしも必要と言うものではなく、全部又は一部は無くても良い。
【００４１】
さらに、外箱Ｂの後側板２に設ける接着部２ａとして、両面テープを使用しているが、接着部２ａとしては、両面テープに限らず、後側板２に設けられる接着部材なら何でも良い。
【符号の説明】
【００４２】
Ａ    収納小箱        Ｂ    外箱              Ｃ    中ケース
Ｄ    いちご          Ｅ    キャリーデコケース
１    底板            ２    後側板            ２ａ  接着部
３    舌片            ４    前側板            ４ａ  窓
５    天板            ５ａ  窓                ６    切り込み
６ａ  ストッパー      ７    のり代            ８    蓋
９    下ケース
【図１】
0003195683.tif 000003
【図２】
0003195683.tif 000004
【図３】
0003195683.tif 000005
【図４】
0003195683.tif 000006
【図５】
0003195683.tif 000007